(57)【要約】      （修正有）【課題】チェックシートなどの筆記を要する用紙に対し、簡単に直線を引くことができる新規な用箋挟を提供する。【解決手段】平板状のボード部材２と、ボード部材２の一辺に対して平行となるように設けられたガイドレール３と、ガイドレール３に沿って、スライド移動可能となされたスライダ部４と、定規部５と、を具備してなる用箋挟である。定規部５は、スライダ部４のスライド移動に伴って位置変更可能となるように、スライダ部４に取り付けられる。【選択図】図１
0003185603.tif 000002
【実用新案登録請求の範囲】
【請求項１】
用紙の下敷きとして用いられる用箋挟であって、
平板状のボード部材と、
前記ボード部材の一辺に対して平行となるように設けられたガイドレールと、
前記ガイドレールに沿って、スライド移動可能となされたスライダ部と、
定規部と、
を具備してなり、
前記定規部が、その裏面を前記ボード部材上に載置された前記用紙の表面に対して摺接させながら、前記スライダ部のスライド移動に伴って位置変更可能となるように、前記スライダ部に取り付けられてなることを特徴とする用箋挟。
【請求項２】
請求項１に記載の用箋挟において、
前記定規部が揺動することによって、前記定規部の裏面が、前記ボード部材の表面から離間したり、近接したりし得るように、
前記定規部が、ヒンジを介して前記スライダ部に取り付けられてなる用箋挟。
【請求項３】
請求項１又は２に記載の用箋挟において、
前記スライダ部に、前記スライダ部のスライド移動を禁止したり、許可したりするロック装置が設けられてなる用箋挟。
【請求項４】
請求項３に記載の用箋挟において、
前記ロック装置に押しボタンが設けられてなり、
前記押しボタンを押していない場合に、前記スライダ部のスライド移動が禁止され、
前記押しボタンを押した際に、前記スライダ部のスライド移動が許可される仕組みとなされた用箋挟み。
【考案の詳細な説明】
【技術分野】
【０００１】
本考案は、筆記を要する用紙の下敷きとして用いられる用箋挟に関する。
【背景技術】
【０００２】
倉庫の管理や在庫の確認などの作業は、作業者が、チェックシートなどの用紙に記入しながら行うことが多い。そして、作業者が、このような作業を実行するにあたっては、通常、チェックシートをクリップボードなどと称される用箋挟によって支持する。これは、係る用箋挟を下敷きとして利用し、もって、作業者が立ったままでも、チェックシートに記入できるようにするためである。
【０００３】
ところで、この種のチェックシートは、記載されている項目にチェックマークを記入したり、アンダーラインや二重線を付与したりすることによって、作業の進行を確認し得るようになされているものが一般的である。
【０００４】
しかしながら、作業者が立ったまま、フリーハンドによって直線を引くと、線が曲がったり、歪んだりして、任意の箇所にきちんと記入できない場合がある。
【０００５】
この場合、定規を用いれば、任意の箇所に真っ直ぐな直線を付与することができるが、作業者が立ったまま、片手で用箋挟みを持ち、もう一方の手に筆記用具を持った状態では、このような定規の使用もままならない。
【０００６】
この点につき、下記特許文献１に開示された如きのクリップ付定規を用い、用箋挟に前記クリップ付定規を取り付ければ、直線を引く作業が幾分容易になる。
【先行技術文献】
【特許文献】
【０００７】
【特許文献１】実開昭６３‐１８０２９３号公報
【考案の概要】
【考案が解決しようとする課題】
【０００８】
前記特許文献１に開示されたクリップ付定規を用いれば、用箋挟の一辺に対し、クリップを簡易的に固定し、もって、任意の箇所に定規を位置決めすることができる。そして、この状態で、定規に筆記具の先端をあてがい、定規に沿って線を引けば、任意の箇所に真っ直ぐな直線を引くことができる。
【０００９】
しかしながら、一般的なチェックシートは、複数の項目が、各々改行された状態にて列記されているものが多く、このような複数の項目について、アンダーラインや二重線のような直線を順に引いていくにあたり、特許文献１に開示されたクリップ付定規では、一の項目に対して直線を付与した後、次の項目に対して定規があてがわれるように、順次位置変更しなければならない。
【００１０】
そして、この位置変更を片手で行うことは困難であるため、作業者は、一の項目に対して直線を付与した後、筆記具を一旦置き、両手でクリップの位置をずらしながら、定規を位置決めしなければならないことになる。
【００１１】
本考案は、前記技術的課題に鑑みて完成されたものであり、チェックシートなどの筆記を要する用紙に対し、簡単に直線を引くことができる新規な用箋挟を提供することを目的とする。
【課題を解決するための手段】
【００１２】
前記技術的課題を解決するために、本考案の用箋挟は、用紙の下敷きとして用いられる用箋挟であって、平板状のボード部材と、前記ボード部材の一辺に対して平行となるように設けられたガイドレールと、前記ガイドレールに沿って、スライド移動可能となされたスライダ部と、定規部と、を具備してなり、前記定規部が、その裏面を前記ボード部材上に載置された前記用紙の表面に対して摺接させながら、前記スライダ部のスライド移動に伴って位置変更可能となるように、前記スライダ部に取り付けられてなることを特徴とする。
【００１３】
本考案の用箋挟においては、前記定規部が揺動することによって、前記定規部の裏面が、前記ボード部材の表面から離間したり、近接したりし得るように、前記定規部が、ヒンジを介して前記スライダ部に取り付けられてなるものが好ましい態様となる。
【００１４】
本考案の用箋挟においては、前記スライダ部に、前記スライダ部のスライド移動を禁止したり、許可したりするロック装置が設けられてなるものが好ましい態様となる。
【００１５】
本考案の用箋挟においては、前記ロック装置に押しボタンが設けられてなり、前記押しボタンを押していない場合に、前記スライダ部のスライド移動が禁止され、前記押しボタンを押した際に、前記スライダ部のスライド移動が許可される仕組みとなされたものが好ましい態様となる。
【考案の効果】
【００１６】
本考案によれば、チェックシートなどの筆記を要する用紙に対し、簡単に直線を引くことができる。
【図面の簡単な説明】
【００１７】
【図１】図１は、本考案の用箋挟を示す斜視図(ａ)と、断面図（ｂ）である。
【図２】図２は、前記用箋挟におけるスライダ部をボード部材に取り付ける様子を示す断面図（ａ）、（ｂ）と、斜視図（ｃ）である。
【図３】図３(ａ)、（ｂ）は、前記用箋挟の使用態様を示す斜視図である。
【図４】図４は、本考案の用箋挟の他の例を示す斜視図である。
【図５】図５は、本考案の用箋挟の更に他の例を示す斜視図(ａ)と、断面図（ｂ）、（ｃ）である。
【考案を実施するための形態】
【００１８】
以下、本考案を実施するための形態（実施形態）を図面に基づいて説明するが、本考案はこの実施形態に限定されるものではない。
【００１９】
＜用箋挟１＞
図１に、実施形態１に係る本考案の用箋挟１を示す。前記用箋挟１は、ボード部材２と、ガイドレール３と、スライダ部４と、定規部５と、を具備する。
【００２０】
図１(ａ)に示すように、前記ボード部材２は、矩形に形成された平板状の樹脂成形品である。前記ボード部材２の表面２Ｓには、一短辺２Ｕ寄りの位置において、ばね仕掛けのクリップ２１が取り付けられている。
【００２１】
以下の説明において、方向を示す「上」は、前記ボード部材２における一短辺２Ｕ側、「下」は、前記ボード部材２における他短辺２Ｄ側、「左」は、前記ボード部材２における一長辺２Ｌ側、「右」は、前記ボード部材２における他長辺２Ｒ側、「表」は、前記ボード部材２における表面（前記クリップ２１が取り付けられている側の面）２Ｓ側、「裏」は、前記ボード部材２における裏面２Ｂ側を意味するものとする。
【００２２】
前記ガイドレール３は、前記ボード部材２の一長辺２Ｌに対して平行となるように設けられた直線状の凸条であり、前記ボード部材２と一体的に形成されたものである。図１（ｂ）に示すように、前記ガイドレール３は、半円形の断面形状を有してなり、前記ボード部材２の表面２Ｓ及び裏面２Ｂにおいて、一条ずつ設けられている。前記ガイドレール３の長さは、前記ボード部材の一長辺２Ｌより幾分（３〜１０ｃｍ程度）短く、前記ガイドレール３の上端及び下端は、前記ボード部材２の一短辺２Ｕ及び他短辺２Ｄより内側の位置に存する。
【００２３】
前記スライダ部４は、底板部４１と、天板部４２と、一対の板バネ４３と、を具備する樹脂製のクリップである。前記スライダ部４は、回転軸４４側に取り付けられた前記板バネ４３によって、前記底板部４１と前記天板部４２とが互いに近づく方向に付勢されている。そして、図２(ａ)、（ｂ）に示すように、前記スライダ部４は、前記底板部４１と前記天板部４２とにそれぞれ設けられた一対のツマミ部４６を互いに近づく方向に近接させれば、前記回転軸４４に対し反対側に存する開口部４５が開く仕組みとなされている。又、前記底板部４１及び前記天板部４２における各内壁４１１、４２１には、前記回転軸４４と平行関係となるようにして凹溝４７、４８が設けられている。
【００２４】
前記定規部５は、長板状の樹脂成形品である。前記定規部５の一短辺は、前記スライダ部４の天板部４２における開口部４５側の辺と接合されている。又、前記定規部５の裏面５Ｂは、前記天板部４２の内壁４２１と面一となされている。
【００２５】
図２(ａ)、（ｂ）に示すように、前記構成を有する本考案の用箋挟１は、前記スライダ部４における前記ツマミ部４６を操作して前記開口部４５を開き、前記ボード部材２の一長辺２Ｌ側から、前記底板部４１及び前記天板部４２にて前記ボード部材２を挟むようにして前記スライダ部４を取り付けることによって組み立てられる。この際、前記ボード部材２の表面２Ｓ及び裏面２Ｂに設けられた各ガイドレール３に対し、それぞれ前記凹溝４７、４８が嵌合された状態となされる。
【００２６】
なお、本実施形態に係る本考案の用箋挟１は、図２（ｃ）に示すように、前記ガイドレール３が設けられていない前記ボード部材２の一短辺２Ｕ側（又は他短辺２Ｄ側）において前記スライダ部４を挟み付けた後、前記ボード部材２の一長辺２Ｌに沿って前記スライダ部４を滑らせながら、各ガイドレール３に対し、それぞれ前記凹溝４７、４８を嵌合させることによって組み立てることができるようになされている。
【００２７】
＜用箋挟１の使用態様＞
以下、前記構成を有する本考案の用箋挟１の使用態様を説明する。本考案の用箋挟１を使用するにあたっては、まず、前記ボード部材２の表面２Ｓに筆記を要する用紙（例えば、チェックシート）Ｐを載置する(図１(ａ)参照)。この際、前記用紙Ｐは、前記ボード部材２の表面２Ｓと前記定規部５の裏面５Ｂとの間に差し入れられた状態となされる。又、前記用紙Ｐの上端辺側は、前記ボード部材２に取り付けられた前記クリップ２１によって挟持される。
【００２８】
図３(ａ)に示すように、前記用紙Ｐがセットされた本考案の用箋挟１は、例えば、倉庫の管理や在庫の確認などの作業において、作業者Ｍが立ったまま片手で持ち、もう一方の手に筆記用具を持った状態で使用される。
【００２９】
通常、前記用紙Ｐには、必要な確認作業についての複数の項目が、項目ごとに改行された状態にて列記されている。作業者は、係る項目を順に追って作業を進め、確認を終えた項目に対し、チャックマークを記入したり、アンダーラインや二重線などを付与したりする。
【００３０】
この際、本考案の用箋挟１によれば、図３（ｂ）に示すように、前記スライダ部４を操作することによって、前記定規部５の上辺を、現在確認している事項について記載されている項目の下に位置させることができ、もって、現在、行うべき作業を間違えずに行うことができる。
【００３１】
又、前記定規部５の上辺に筆記具の先端をあてがい、前記定規部５の上辺に沿って、真っ直ぐな直線を引くことも容易に行うことができる。
【００３２】
そして、一の項目についての確認を終えれば、前記スライダ部４を片手で操作し、次の確認事項について記載されている項目の下に前記定規部５の上辺を位置させることができる。
【００３３】
このようにして、本考案の用箋挟１を用い、用紙Ｐに記載されている複数の項目を追いながら、順に作業を進めれば、間違いがなく、又、容易に作業を進めることが可能となる。
【００３４】
なお、本実施形態においては、前記ガイドレール３を前記ボード部材２の一長辺２Ｌに沿って設けているが、前記ガイドレール３は、他長辺２Ｒに沿って設けても良いし、一短辺２Ｕや他短辺２Ｄに沿って設けても良い。即ち、本考案において、前記ボード部材２の一辺に対して平行となるように前記ガイドレール３を設けるとは、前記ボード部材２に存する複数の辺の内の少なくとも一辺に沿ってガイドレールを設けることを意味する。
【００３５】
又、本実施形態においては、前記定規部５を前記スライダ部４に対し直接的に接合しているが、本考案の用箋挟１においては、図４に示すように、前記定規部５につき、ヒンジ７を介して前記スライダ部４に取り付け、もって、前記定規部５を、前記ヒンジ７を回動中心として揺動させることができるようにすることが好ましい。
【００３６】
このように構成すれば、前述の確認作業中、前記定規部４の下に隠されている項目について確認する必要が生じた際に、前記スライダ部４を操作することなく、前記定規部４を前記ボード部材２の表面から離間させて、係る項目を確認することができるようになる。又、本考案の用箋挟１に用紙Ｐをセットする作業を、前記定規部４を前記ボード部材２の表面から離間させた状態にて行うことができるようになる。
【００３７】
更に、本考案の用箋挟１においては、図５に示すように、前記スライダ部４に、前記スライダ部４のスライド移動を禁止したり、許可したりするロック装置８が設けられてなるものが好ましい態様となる。
【００３８】
更に詳しくは、図５に示すロック装置８は、押しボタン８１を押していない場合に、前記スライダ部４のスライド移動が禁止され、前記押しボタン８１を押した際に、前記スライダ部４のスライド移動が許可される仕組みとなされたものである。
【００３９】
図５（ｂ）に示すように、前記ロック装置８は、断面視オメガ状の板バネ８２が内蔵されてなり、押しボタン８１が押されていない間は、前記板バネ８２がガイドレール３を両サイドから挟持した状態で固定し、もって、前記スライダ部４のスライド移動が禁止される仕組みとなされている。そして、図５（ｃ）に示すように、前記押しボタン８１が押されると、前記板バネ８２が変形し、ガイドレール３を挟持する作用が喪失し、もって、前記スライダ部４のスライド移動が許可される仕組みとなされている。
【００４０】
このようなロック装置８が設けられた本発明の用箋挟１は、所望の位置に停止させた前記スライダ部４を、前記ロック装置８にて、簡易的に固定することができる。これより、作業中に位置決めされた定規部５につき、望外の際に、前記スライダ部４のスライド移動に伴って移動することを防止することができる。
【００４１】
なお、本考案は、その精神または主要な特徴から逸脱することなく、他のいろいろな形で実施することができる。そのため、上述の実施形態はあらゆる点で単なる例示にすぎず、限定的に解釈してはならない。本考案の範囲は実用新案登録請求の範囲によって示すものであって、明細書本文には、なんら拘束されない。さらに、実用新案登録請求の範囲の均等範囲に属する変形や変更は、全て本考案の範囲内のものである。
【産業上の利用可能性】
【００４２】
前記本考案装置は、用紙の下敷きとして用いられる用箋挟として好適に用いられる。
【符号の説明】
【００４３】
１  用箋挟
２  ボード部材
３  ガイドレール
４  スライダ部
５  定規部
７  ヒンジ
８  ロック装置
８１  押しボタン
【図１】
0003185603.tif 000003
【図２】
0003185603.tif 000004
【図３】
0003185603.tif 000005
【図４】
0003185603.tif 000006
【図５】
0003185603.tif 000007